【手続補正書】
【提出日】平成20年10月2日(2008.10.2)
【手続補正１】
【補正対象書類名】特許請求の範囲
【補正対象項目名】全文
【補正方法】変更
【補正の内容】
【特許請求の範囲】
【請求項１】
楽音信号を発生する楽音信号発生回路、表示器および記憶装置を備えた電子音楽装置において、
ウェブページデータをサーバコンピュータから取り込んで、前記取り込んだウェブページデータに応じたウェブページを表示器に表示する表示制御手段と、
前記ウェブページの表示状態にてユーザの指示により、前記ウェブページデータによって規定されていて、楽音信号発生回路における楽音信号の発生を制御するための曲の進行に従った一連の楽音発生制御データを有するとともに、楽音信号発生回路の制御とは独立した電子音楽装置の機能を発揮させる機能制御コマンドを前記一連の楽音発生制御データ中に埋め込んだ曲データをサーバコンピュータから取り込んで記憶装置に記憶する曲データ取り込み手段と、
前記曲データ取り込み手段によって記憶装置に記憶された曲データ中の一連の楽音発生制御データおよび機能制御コマンドを曲の進行に従って読み出す曲データ読み出し手段と、
前記曲データ読み出し手段によって前記楽音発生制御データが読み出されたか、または前記機能制御コマンドが読み出されたかを判定する判定手段と、
前記判定手段によって前記楽音発生制御データが読み出されたことが判定されたとき、前記読み出された楽音発生制御データに基づいて楽音信号発生回路を制御して楽音信号の発生を制御する楽音再生制御手段と、
前記判定手段によって前記機能制御コマンドが読み出されたことが判定されたとき、前記読み出された機能制御コマンドに応じた電子音楽装置の機能を発揮させる機能制御コマンド処理手段と、
前記ウェブページの表示状態にてユーザの指示により、前記ウェブページデータによって規定されるとともに、楽音信号発生回路の制御とは独立した電子音楽装置の機能を発揮させるスクリプトをサーバコンピュータから取り込んで、前記取り込んだスクリプトに応じた電子音楽装置の機能を発揮させるスクリプト処理手段と
を設けたことを特徴とする電子音楽装置。
【請求項２】
前記表示制御手段は、サーバコンピュータからのウェブページデータの取り込み時に、前記取り込んだウェブページデータによる指定を条件に、前記曲データまたはスクリプトもサーバコンピュータから取り込む追加取り込み手段を含む請求項１に記載の電子音楽装置。
【請求項３】
前記機能制御コマンドによって発揮される電子音楽装置の機能は、前記スクリプトによって発揮される電子音楽装置の機能と同一のものを含む請求項１または２に記載の電子音楽装置。
【請求項４】
前記曲データはＭＩＤＩファイルによって構成され、前記一連の楽音発生制御データ中に埋め込まれた機能制御コマンドはシステム・エクスクルーシブ・メッセージによって記述されている請求項１ないし３のうちのいずれか一つに記載の電子音楽装置。
【請求項５】
楽音信号を発生する楽音信号発生回路、表示器および記憶装置を備えた電子音楽装置に適用されるコンピュータ読み取り可能なプログラムにおいて、コンピュータに、
ウェブページデータをサーバコンピュータから取り込んで、前記取り込んだウェブページデータに応じたウェブページを表示器に表示する表示制御手順と、
前記ウェブページの表示状態にてユーザの指示により、前記ウェブページデータによって規定されていて、楽音信号発生回路における楽音信号の発生を制御するための曲の進行に従った一連の楽音発生制御データを有するとともに、楽音信号発生回路の制御とは独立した電子音楽装置の機能を発揮させる機能制御コマンドを前記一連の楽音発生制御データ中に埋め込んだ曲データをサーバコンピュータから取り込んで記憶装置に記憶する曲データ取り込み手順と、
前記曲データ取り込み手順によって記憶装置に記憶された曲データ中の一連の楽音発生制御データおよび機能制御コマンドを曲の進行に従って読み出す曲データ読み出し手順と、
前記曲データ読み出し手順によって前記楽音発生制御データが読み出されたか、または前記機能制御コマンドが読み出されたかを判定する判定手順と、
前記判定手順によって前記楽音発生制御データが読み出されたことが判定されたとき、前記読み出された楽音発生制御データに基づいて楽音信号発生回路を制御して楽音信号の発生を制御する楽音再生制御手順と、
前記判定手順によって前記機能制御コマンドが読み出されたことが判定されたとき、前記読み出された機能制御コマンドに応じた電子音楽装置の機能を発揮させる機能制御コマンド処理手順と、
前記ウェブページの表示状態にてユーザの指示により、前記ウェブページデータによって規定されるとともに、楽音信号発生回路の制御とは独立した電子音楽装置の機能を発揮させるスクリプトをサーバコンピュータから取り込んで、前記取り込んだスクリプトに応じた電子音楽装置の機能を発揮させるスクリプト処理手順と
を実行させることを特徴とするコンピュータ読み取り可能なプログラム。
【請求項６】
楽音信号を発生する楽音信号発生回路、表示器および記憶装置を有する電子音楽装置に、ウェブページデータ、曲データおよびスクリプトを配信して、表示器にウェブページを表示させるとともに、前記ウェブページに関連する曲データを楽音信号発生回路に再生させるサーバコンピュータにおいて、
電子音楽装置に配信される複数のウェブページデータを記憶したウェブページデータ記憶手段と、
前記複数のウェブページデータによりそれぞれ規定されるとともに、前記複数のウェブページデータに基づくウェブページの表示状態にて、ユーザの指示によって電子音楽装置に配信される複数の曲データであって、楽音信号発生回路における楽音信号の発生を制御するための曲の進行に従った一連の楽音発生制御データを有するとともに、楽音信号発生回路の制御とは独立した電子音楽装置の機能を発揮させる機能制御コマンドを前記一連の楽音発生制御データ中に埋め込んだ複数の曲データを記憶した曲データ記憶手段と、
前記複数のウェブページデータによりそれぞれ規定されるとともに、前記複数のウェブページデータに基づくウェブページの表示状態にて、ユーザの指示によって電子音楽装置に配信される複数のスクリプトであって、楽音信号発生回路の制御とは独立した電子音楽装置の機能を発揮させる複数のスクリプトを記憶したスクリプト記憶手段と
を備えたことを特徴とするサーバコンピュータ。
【手続補正２】
【補正対象書類名】明細書
【補正対象項目名】０００５
【補正方法】変更
【補正の内容】
【０００５】
上記目的を達成するために、本発明の特徴は、楽音信号を発生する楽音信号発生回路、表示器および記憶装置を備えた電子音楽装置において、ウェブページデータをサーバコンピュータから取り込んで、前記取り込んだウェブページデータに応じたウェブページを表示器に表示する表示制御手段と、ウェブページの表示状態にてユーザの指示により、ウェブページデータによって規定されていて、楽音信号発生回路における楽音信号の発生を制御するための曲の進行に従った一連の楽音発生制御データを有するとともに、楽音信号発生回路の制御とは独立した電子音楽装置の機能を発揮させる機能制御コマンドを一連の楽音発生制御データ中に埋め込んだ曲データをサーバコンピュータから取り込んで記憶装置に記憶する曲データ取り込み手段と、曲データ取り込み手段によって記憶装置に記憶された曲データ中の一連の楽音発生制御データおよび機能制御コマンドを曲の進行に従って読み出す曲データ読み出し手段と、曲データ読み出し手段によって楽音発生制御データが読み出されたか、または機能制御コマンドが読み出されたかを判定する判定手段と、判定手段によって楽音発生制御データが読み出されたことが判定されたとき、前記読み出された楽音発生制御データに基づいて楽音信号発生回路を制御して楽音信号の発生を制御する楽音再生制御手段と、判定手段によって機能制御コマンドが読み出されたことが判定されたとき、前記読み出された機能制御コマンドに応じた電子音楽装置の機能を発揮させる機能制御コマンド処理手段と、ウェブページの表示状態にてユーザの指示により、ウェブページデータによって規定されるとともに、楽音信号発生回路の制御とは独立した電子音楽装置の機能を発揮させるスクリプトをサーバコンピュータから取り込んで、前記取り込んだスクリプトに応じた電子音楽装置の機能を発揮させるスクリプト処理手段とを設けたことにある。
【手続補正３】
【補正対象書類名】明細書
【補正対象項目名】０００８
【補正方法】変更
【補正の内容】
【０００８】
さらに、機能制御コマンドおよびスクリプトによって発揮される電子音楽装置の機能としては、次のようなものがある。すなわち、一連の楽音発生制御データを構成する音符データ（音高データおよび符長データ）に基づく楽譜の表示開始および表示停止。一連の楽音発生制御データとともに曲データ中に含まれる歌詞データに基づく歌詞の表示開始および表示停止。曲データ中に含まれる曲の解説文の表示開始および表示停止。前記音符データに基づく鍵盤におけるガイドランプ機能の開始および停止。前記ガイドランプ機能のパートの設定。ユーザの鍵盤演奏による発生楽音の音色の設定。発生楽音のボリュームの設定。発生楽音に付与される効果の設定。楽譜表示における画面モード（楽譜の大きさ、音域など）の設定。曲データに基づき発生される楽音のパートの設定。自動伴奏および自動リズムの開始および停止。鍵盤におけるメロディ鍵域と伴奏鍵域の境界位置の設定。一連の楽音発生制御データに基づく楽音信号の再生におけるテンポの設定。一連の楽音発生制御データに基づく楽音信号の再生開始位置の指定、前記再生の開始および停止。
【手続補正４】
【補正対象書類名】明細書
【補正対象項目名】００１０
【補正方法】変更
【補正の内容】
【００１０】
また、本発明の他の特徴は、楽音信号を発生する楽音信号発生回路、表示器および記憶装置を有する電子音楽装置に、ウェブページデータ、曲データおよびスクリプトを配信して、表示器にウェブページを表示させるとともに、前記ウェブページに関連する曲データを楽音信号発生回路に再生させるサーバコンピュータにおいて、電子音楽装置に配信される複数のウェブページデータを記憶したウェブページデータ記憶手段と、複数のウェブページデータによりそれぞれ規定されるとともに、複数のウェブページデータに基づくウェブページの表示状態にて、ユーザの指示によって電子音楽装置に配信される複数の曲データであって、楽音信号発生回路における楽音信号の発生を制御するための曲の進行に従った一連の楽音発生制御データを有するとともに、楽音信号発生回路の制御とは独立した電子音楽装置の機能を発揮させる機能制御コマンドを一連の楽音発生制御データ中に埋め込んだ複数の曲データを記憶した曲データ記憶手段と、複数のウェブページデータによりそれぞれ規定されるとともに、複数のウェブページデータに基づくウェブページの表示状態にて、ユーザの指示によって電子音楽装置に配信される複数のスクリプトであって、楽音信号発生回路の制御とは独立した電子音楽装置の機能を発揮させる複数のスクリプトを記憶したスクリプト記憶手段とを備えたことにある。